(57)【要約】      （修正有）【課題】トラクターショベルのバケットに刃を取り付けても、バケット内部にボルトやナットが突出しないようにしたトラクターショベル用バケットの刃取付構造を提供する。【解決手段】トラクターショベル用バケットＢの刃Ｈ取付構造として、トラクターショベル用バケット下面の開口下端縁近傍に、開口下端縁に沿って形成される複数のネジ穴１０と、バケットの開口下端縁に沿って固定される細長い板状の刃であって、下端側に皿座ぐりが設けられた複数の貫通孔２０がネジ穴の形成位置に合致するように長手方向に沿って形成される刃と、ネジ穴と貫通孔の位置を合わせた状態で、貫通孔下方からネジ穴に係合する皿ボルト３０であって、ネジ穴の上面から突出する長さを有しない皿ボルトとから構成する。【選択図】図３
0003192555.tif 000002
【実用新案登録請求の範囲】
【請求項１】
トラクターショベル用バケットの下面の開口下端縁近傍に、当該開口下端縁に沿って形成される複数のネジ穴と、
前記バケットの開口下端縁に沿って固定される細長い板状の刃であって、下端側に皿座ぐりが設けられた複数の貫通孔が、前記ネジ穴の形成位置に合致するように長手方向に沿って形成される刃と、
前記ネジ穴と前記貫通孔の位置を合わせた状態で、前記貫通孔下方から前記ネジ穴に係合する皿ボルトであって、前記ネジ穴の上面から突出する長さを有しない皿ボルトと
を有するトラクターショベル用バケットの刃取付構造。
【請求項２】
前記ネジ穴は上面まで貫通していない請求項１に記載のトラクターショベル用バケットの刃取付構造。
【考案の詳細な説明】
【技術分野】
【０００１】
本考案は、トラクターショベル用バケットの開口部下端縁に設けられる刃の取付構造に関する。
【背景技術】
【０００２】
ホイールローダーなどのトラクターショベルに設けられるバケットには、開口部下端縁に刃が着脱可能に設けられているものが多い。これらの刃は、通常ボルトとナットでバケットに固定される。図６に、従来のトラクターショベル用バケットＢの斜視図を示し、図７に刃Ｈを取り付けるボルトナット部分の拡大縦断面図を示す。図に示すようにバケットＢの開口部下端縁近傍には、刃を取り付けるための貫通孔が等間隔で形成されており、刃Ｈ側にも、これらの貫通孔に合致するように複数の貫通孔が等間隔で形成されている。そして、これらの貫通孔の位置を合わせて図７に示すようにボルトＳで両貫通孔を下方から貫いて上方をナットＮで締結固定する。なお、刃Ｈの貫通孔下端側には皿座ぐりが形成されるとともに、ボルトＳは皿ボルトが用いられることで、刃の下面側は平らに形成される。
【考案の概要】
【考案が解決しようとする課題】
【０００３】
ところで、従来のバケットの刃の取付構造においては、図６、７に示すようにナットＮ及びボルトＳが、バケットの内面下部から上方に突出しているため、ホイールローダーを酪農に使用する場合、飼料をすくうとこの突出した部分に飼料が付着する。突出部分に付着した飼料は、その後腐敗するので、新しい飼料に腐敗した飼料が混入して家畜が病気になることもある。
本考案は、このような問題に鑑みて、トラクターショベルのバケットに刃を取り付けても、バケット内部にボルトやナットが突出しないようにすることを課題とする。
【課題を解決するための手段】
【０００４】
上記課題を解決するために、本考案は、次のような構成を有する。
請求項１に記載の考案は、トラクターショベル用バケット下面の開口下端縁近傍に、当該開口下端縁に沿って形成される複数のネジ穴と、前記バケットの開口下端縁に沿って固定される細長い板状の刃であって、下端側に皿座ぐりが設けられた複数の貫通孔が前記ネジ穴の形成位置に合致するように長手方向に沿って形成される刃と、前記ネジ穴と前記貫通孔の位置を合わせた状態で、前記貫通孔下方から前記ネジ穴に係合する皿ボルトであって、前記ネジ穴の上面から突出する長さを有しない皿ボルトとを有するトラクターショベル用バケットの刃取付構造である。
請求項２に記載の考案は、前記トラクターショベル用バケットの刃取付構造において、  前記ネジ穴は上面まで貫通していないものである。
【考案の効果】
【０００５】
以上のような構成により、本考案は、次のような効果を奏する。
請求項１に記載の考案は、バケット下面にネジ穴を形成し、このネジ穴にネジ穴から上方に突出しない長さのボルトを係合させることで刃を固定するので、ナットはもちろんボルトもバケット内面下部から突出しないようにすることができる。
請求項２に記載の考案は、ネジ穴を上面に貫通させないことで、バケット内面下部に穴が形成されないので、付着物等が残ることをより抑制することができる。
【図面の簡単な説明】
【０００６】
【図１】実施形態に係るホイールローダーの側面図である。
【図２】実施形態に係るホイールローダーのバケットの斜視図である。
【図３】実施形態に係るバケットの刃を固定するボルト部分の拡大縦断面図である。
【図４】図３における分解図である。
【図５】変形例に係るボルト部分の拡大断面図である。
【図６】従来のバケットの斜視図である。
【図７】従来のバケットの刃を固定するボルト部分の拡大縦断面図である。
【考案を実施するための形態】
【０００７】
以下、本考案の実施の形態について、図面を参照しながら説明する。
図１に本実施形態に係るホイールローダーＲの側面図を示す。ホイールローダーＲは一般的なホイールローダーである。図２にホイールローダーＲのバケットＢの斜視図を示す。バケットＢは刃Ｈの取り付ける下面部分に特徴を有する。図３に刃Ｈを取り付けるボルト部分の拡大縦断面図を示し、図４に図３の分解図を示す。
図２、図３に示すようにバケットＢ下面の開口下端縁近傍には、下端縁に沿って複数のネジ穴１０が設けられる。なお、バケットＢ下面の開口下端縁にはバケットＢに一体に形成される開口下端縁に沿った細長い板状部分からなる親刃Ｂhが形成されており、ネジ穴１０は、この親刃Ｂhのほぼ中心線に沿って設けられる。刃Ｈは親刃Ｂhとほぼ同じ長さを有する細長い板体からなり、先端近傍が薄くなるように形成されたいわゆる平刃を形成している。刃Ｈには親刃Ｂhに重ねたときにネジ穴１０に重なるそれぞれの位置に貫通孔２０が形成される。各貫通孔２０の下端側には皿座ぐりが形成されている。刃Ｈと親刃Ｂhとを重ねた状態で、皿ボルト３０が下方側から挿入されネジ穴１０に締結固定される。皿ボルト３０は、刃Ｈと親刃Ｂhとがしっかりと接触し、ヘッド部分が皿座ぐりに当接した状態で上端面がバケットＢの内面に合致するような長さに設定される。このような構造により刃ＨをバケットＢに固定すると、皿ボルト３０の先端がバケットＢの内面と同じ高さとなり突出しないので、バケットＢで飼料をすくっても、飼料がボルト部分に引っかかって残ることがなく、バケットＢをきれいな状態に保持することができる。また、バケットＢ内面に突出部分がないので、バケットに入った飼料の排出もスムーズに行うことができる。
【０００８】
なお、上記実施形態ではネジ穴１０はバケット内面にまで貫通させているが、図５に示すように、貫通させないようにしてもよい。この場合、バケット内面側は完全に平らになるので、より付着物が残りにくくなる。また、上記実施形態では交換する刃Ｈは平刃としているが、他の形状の刃でも適用できる。さらに、上記実施形態ではホイールローダーを例示しているが、ホイールローダー以外のトラクターショベルでもバケットを装着しているので、本実施形態に係る刃の取付構造を適用することができる。
【符号の説明】
【０００９】
Ｂ  バケット
Ｂh  親刃
Ｈ  刃
１０  ネジ孔
２０  貫通孔
３０  皿ボルト
【図１】
0003192555.tif 000003
【図２】
0003192555.tif 000004
【図３】
0003192555.tif 000005
【図４】
0003192555.tif 000006
【図５】
0003192555.tif 000007
【図６】
0003192555.tif 000008
【図７】
0003192555.tif 000009